(57)【特許請求の範囲】
【請求項１】
互いに異なる複数種類の紙幅の用紙を使用可能とされたサーマルプリンタにおいて、
発熱素子列を備えたサーマルプリントヘッドをプラテンローラに押し付ける付勢部材が、前記サーマルプリントヘッドの幅方向に沿って複数設けられているとともに、
前記複数の付勢部材の数は、前記使用可能とされている複数種類の紙幅のうち最大の紙幅を、これら複数種類の紙幅間での略最大公約数で除して得られた値の数であり、
前記付勢部材は、複数存在する付勢部材の間隔が前記略最大公約数の値で等間隔に配置されていて、
前記複数の付勢部材のうち、前記使用可能とされた複数種類の紙幅の用紙のうち使用される用紙の紙幅の範囲の外側に配置されている付勢部材は、前記サーマルプリントヘッドをプラテンローラに押し付ける荷重が作用しないように構成されていることを特徴とするサーマルプリンタ。
【請求項２】
前記複数の付勢部材のうち、前記使用可能とされた複数種類の紙幅の用紙のうち使用される用紙の紙幅の範囲の外側に配置されている付勢部材は着脱可能に設けられ、前記付勢部材が取り外された状態により、前記付勢部材が前記サーマルプリントヘッドに前記荷重を作用させないことを特徴とする請求項１に記載のサーマルプリンタ。
【請求項３】
前記複数の付勢部材のうち、前記使用可能とされた複数種類の紙幅の用紙のうち使用される用紙の紙幅の範囲の外側に配置されている付勢部材が、前記サーマルプリントヘッドに接触しないように前記付勢部材を変形させて覆う覆い部材を備え、前記覆い部材が前記付勢部材を覆った状態により、前記付勢部材が前記サーマルプリントヘッドに前記荷重を作用させないことを特徴とする請求項１に記載のサーマルプリンタ。
【請求項４】
前記複数の付勢部材のうち前記幅方向の最も外側に配置された付勢部材は、前記用紙の側端縁から、前記最大公約数の半分の長さだけ前記幅方向の内側の位置に配置されていることを特徴とする請求項１から３のうちいずれか１項に記載のサーマルプリンタ。
【請求項５】
前記複数種類の紙幅の用紙のうちいずれか１つの種類の紙幅の用紙を選択的に収容可能とされた用紙収容室を備え、
前記用紙収容室は、前記用紙収容室の幅を規定する両側壁面のうち一方の側壁面が前記紙幅の広狭に拘わらず前記収容する用紙の幅方向の基準となって、前記用紙の一方の側端縁が前記一方の側壁面に略接するように、前記用紙を前記一方の側壁面側に偏って収容するものであることを特徴とする請求項１から４のうちいずれか１項に記載のサーマルプリンタ。
【請求項６】
前記使用可能とされた複数種類の紙幅の用紙は、紙幅２インチ、３インチ、４インチの用紙のうち、少なくとも２つであることを特徴とする請求項１から５のうちいずれか１項に記載のサーマルプリンタ。
【発明の詳細な説明】
【技術分野】
【０００１】
本発明はサーマルプリンタに関し、詳細には、サーマルプリントヘッドユニットをプラテンローラユニットに押し付ける付勢部材の改良に関する。
【背景技術】
【０００２】
サーマルプリンタは、サーマルプリントヘッドによって感熱用紙（以下、単に用紙という。）に情報を印刷するものであるが、高品位な印刷を実現するためには、用紙をサーマルプリントヘッドユニットの発熱素子列に適切に密着させることが重要であり、そのために、発熱素子列が設けられているサーマルプリントヘッドの背面側には、発熱素子列をプラテンローラに押し付けるようにサーマルプリントヘッドを付勢（押圧）するコイルバネ等の付勢部材が配設されている。
【０００３】
ところで、上述したサーマルプリンタに用いられる用紙には、その用途に応じて、互いに異なる複数種類の紙幅のものが用意されている。
【０００４】
一方、そのような用紙が用いられるサーマルプリンタは、内部に用紙を収容する用紙収容室を備えているが、この用紙収容室は、収容する用紙の紙幅よりもわずかに大きい幅で形成されている。
【０００５】
そして、１台で複数種類の紙幅のロール紙に対応したサーマルプリンタとしては、用紙収容室の全体幅（両側端壁間の長さ）は、幅広の用紙の紙幅よりもわずかに大きい幅で形成されていて、その幅広の用紙をそのまま収容することができるとともに、この用紙収容室に、幅広の用紙よりも紙幅の狭い用紙を収容するときは、例えば、用紙収容室の一方の側端壁を基準として、その一方の側端壁に、幅狭の用紙の一方の側端縁の位置を合わせて、幅狭の用紙を収容するように構成されている。
【０００６】
このように構成されたサーマルプリンタにおいては、幅方向に関して均一な印刷を得るために、発熱素子列を、用紙の幅方向に関してなるべく均一に押圧することが望まれる。したがって、上述したような複数種類の紙幅の用紙を使用可能となっているサーマルプリンタにおいては、サーマルプリントヘッドユニットを付勢する付勢部材の取付け位置を、実際に使用する用紙の紙幅に応じて変更可能としている（特許文献１）。
【先行技術文献】
【特許文献】
【０００７】
【特許文献１】実開平６−６４８９６号公報
【発明の概要】
【発明が解決しようとする課題】
【０００８】
しかし、上述した特許文献１により開示された技術によれば、紙幅の異なる用紙に変更する度に、幅方向に沿って複数設けられている付勢部材をすべて取り外し、その紙幅の異なる用紙に適した他の位置に付勢部材を取り付け直す必要があり、このような取外しと取付けという作業に手間が掛かる。
【０００９】
本発明は上記事情に鑑みなされたものであって、紙幅が異なる用紙を用いる際の、サーマルプリントヘッドを押圧する付勢部材の調整を容易にしたサーマルプリンタを提供することを目的とする。
【課題を解決するための手段】
【００１０】
本発明に係るサーマルプリンタは、使用される複数種類の紙幅の略最大公約数で各紙幅を除して得られた数の付勢手段が、その紙幅方向に沿って設けられ、それらのうち使用される用紙の紙幅に応じて紙幅の範囲外となる位置に設けられた付勢部材についてのみ着脱されるものとしたことにより、サーマルプリントヘッドを押圧する付勢部材の調整を容易にしたものである。
【００１１】
すなわち、本発明に係るサーマルプリンタは、互いに異なる複数種類の紙幅の用紙（感熱紙）を使用可能とされたサーマルプリンタにおいて、発熱素子列を備えたサーマルプリントヘッドをプラテンローラに押し付けるバネ等の付勢部材が、前記サーマルプリントヘッドの幅方向に沿って複数設けられているとともに、前記複数の付勢部材の数は、前記使用可能とされている複数種類の紙幅のうち最大の紙幅を、これら複数種類の紙幅間での略最大公約数で除して得られた値の数であり、前記付勢部材は、複数存在する付勢部材の間隔が前記略最大公約数の値で等間隔に配置されていて、前記複数の付勢部材のうち、前記使用可能とされた複数種類の紙幅の用紙のうち使用される用紙の紙幅の範囲の外側に配置されている付勢部材は、前記サーマルプリントヘッドをプラテンローラに押し付ける荷重が作用しないように構成されていることを特徴とする。
【００１２】
このように構成された本発明に係るサーマルプリンタによれば、複数の付勢部材がサーマルプリントヘッドをプラテンローラに押し付けることにより、サーマルプリントヘッドの発熱素子列とプラテンローラとの間を通過する用紙に感熱印刷を行うが、これら複数の付勢部材は紙幅に沿って等間隔に配置されているため、サーマルプリントヘッドは、これら複数の均等配置された付勢部材により、印刷対象である用紙の紙幅方向に沿って略均一な付勢力（押圧力）で用紙に接し、これにより幅方向に沿って略均一な品位の印刷を実現することができる。
【００１３】
しかも、これら複数の付勢部材の数は、このサーマルプリンタで用いられる複数種類の紙幅のうち最大の紙幅を、これら複数種類の紙幅間での略最大公約数で除して得られた値の数であり、付勢部材の均等な配置は、この略最大公約数の値で等間隔の配置であって、複数の付勢部材のうち、使用可能とされた複数種類の紙幅の用紙のうち実際に使用される用紙の紙幅の範囲の外側に配置されている付勢部材は、サーマルプリントヘッドをプラテンローラに押し付ける荷重が作用しないように、取り外されたり覆われる等して構成されているため、その紙幅の範囲の外側に配置された付勢部材が、紙幅の範囲内の用紙に押圧力を作用させることがなく、紙幅の範囲内に均等配置された付勢部材のみによる押圧力が用紙に作用するため、紙幅の差異に拘わらず、用紙の幅方向に沿って略均一な押圧力を用紙に作用させることができる。
【００１４】
そして、実際に使用される用紙の紙幅の範囲の外側に配置されている付勢部材に対してのみ、その付勢力が作用しないように操作し、用紙の紙幅の範囲内に配置されている付勢部材に対しては何ら操作を行う必要がないため、紙幅が異なる用紙を用いる際の、サーマルプリントヘッドを押圧する付勢部材の調整を容易にすることができる。
【００１５】
本発明に係るサーマルプリンタにおいては、前記複数の付勢部材のうち、前記使用可能とされた複数種類の紙幅の用紙のうち使用される用紙の紙幅の範囲の外側に配置されている付勢部材は着脱可能に設けられ、この紙幅の範囲外の付勢部材が取り外された状態により、前記付勢部材が前記サーマルプリントヘッドに前記荷重を作用させない構成を実現するのが好ましい。
【００１６】
このように好ましい構成のサーマルプリンタによれば、用紙の紙幅の範囲外に位置する可能性のある付勢部材だけを着脱可能に設けることにより、付勢部材を着脱させるだけの簡単な操作で、紙幅に拘わらず幅方向に略均一な押圧力を得ることができる。
【００１７】
本発明に係るサーマルプリンタにおいては、前記複数の付勢部材のうち、前記使用可能とされた複数種類の紙幅の用紙のうち使用される用紙の紙幅の範囲の外側に配置されている付勢部材が、前記サーマルプリントヘッドに接触しないように前記付勢部材を変形させて覆う覆い部材を備え、前記覆い部材が前記付勢部材を覆った状態により、前記付勢部材が前記サーマルプリントヘッドに前記荷重を作用させないことが好ましい。
【００１８】
このように好ましい構成のサーマルプリンタによれば、用紙の紙幅の範囲外に位置する可能性のある付勢部材にだけ覆い部材を被せるだけの簡単な操作で、用紙の紙幅の範囲外に位置する付勢部材がサーマルプリントヘッドに付勢力を作用させないようにすることができる。
【００１９】
本発明に係るサーマルプリンタにおいては、前記複数の付勢部材のうち前記幅方向の最も外側に配置された付勢部材は、前記用紙の側端縁から、前記最大公約数の半分の長さだけ前記幅方向の内側の位置に配置されていることが好ましい。
【００２０】
このように好ましい構成のサーマルプリンタによれば、幅方向の最外側の２つの付勢部材は、それぞれ、用紙の両側端縁から等距離の部分に相当するサーマルプリントヘッドの背面側に配置されるため、用紙の両側端縁における押圧力（付勢力）も略均等に設定することができる。
【００２１】
本発明に係るサーマルプリンタにおいては、前記複数種類の紙幅の用紙のうちいずれか１つの種類の紙幅の用紙を選択的に収容可能とされた用紙収容室を備え、前記用紙収容室は、前記用紙収容室の幅を規定する両側壁面のうち一方の側壁面が前記紙幅の広狭に拘わらず前記収容する用紙の幅方向の基準となって、前記用紙の一方の側端縁が前記一方の側壁面に略接するように、前記用紙を前記一方の側壁面側に偏って収容するものであることが好ましい。
【００２２】
このように好ましい構成のサーマルプリンタによれば、用紙が収容される用紙収容室は、用紙の一方の側端縁が、用紙収容室の一方の側壁面を基準に収容されるため、紙幅が幅広の用紙を収容する際は、用紙の両側端縁がそれぞれ用紙収容室の両側壁面に略接することとなるが、紙幅が幅狭の用紙を収容する際は、用紙の一方の側端縁だけが用紙収容室の一方の側壁面に略接するものの、他方の側端縁は他方の側壁面から離れた、幅方向に偏った状態で収容される。
【００２３】
しかし、用紙がこのように幅方向について偏って配置されていても、幅方向について均等配置されている付勢部材のうち、用紙の紙幅の範囲から外れた位置に配置されている付勢部材を取り外したり覆うなどして、その付勢部材による付勢力を作用させないことで、一方に偏って配置された用紙に対しても、幅方向に略均一な押圧力を作用させることができる。
【００２４】
本発明に係るサーマルプリンタにおいては、前記使用可能とされた複数種類の紙幅の用紙は、紙幅２インチ、３インチ、４インチの用紙のうち、少なくとも２つであることが好ましい。
【００２５】
紙幅２［インチ］（約６０［ｍｍ］）、３［インチ］（約８０［ｍｍ］）、４［インチ］（約１００［ｍｍ］）の用紙は、販売時点情報管理（ＰＯＳシステム（Point of sale system））に用いられるサーマルプリンタにおいて一般的に使用される用紙であり、これらの紙幅の用紙を用いたサーマルプリンタにおいては、前記略最大公約数は１［インチ］（約２０［ｍｍ］）となる。
【００２６】
したがって、紙幅２インチ、３インチ、４インチの用紙のうち少なくとも２つの紙幅の用紙を用いるもの、例えば２インチと３インチの紙幅の用紙を用いるものでは、３個の付勢部材を１インチの間隔で均等配置し、３インチの紙幅の用紙を使用するときは３つ全部の付勢部材を使用して、３つの付勢部材により、用紙に、紙幅方向に沿って略均一な付勢力を作用させることができる。
【００２７】
一方、２インチの紙幅の用紙を使用するときは３つの付勢部材のうち、用紙の紙幅範囲の外側に位置する１つの付勢部材を取り外す等して、その付勢力を作用させないことで、２つの付勢部材により、用紙に、紙幅方向に沿って略均一な付勢力を作用させることができる。
【００２８】
したがって、その付勢力を作用させないように構成される付勢部材は３つのうち１つだけでよい。
【００２９】
また、例えば３インチと４インチの紙幅の用紙を用いるものでは、４個の付勢部材を１インチの間隔で均等配置し、４インチの紙幅の用紙を使用するときは４つ全部の付勢部材を使用して、４つの付勢部材により、用紙に、紙幅方向に沿って略均一な付勢力を作用させることができる。
【００３０】
一方、３インチの紙幅の用紙を使用するときは４つの付勢部材のうち、用紙の紙幅範囲の外側に位置する１つの付勢部材を取り外す等して、その付勢力を作用させないことで、３つの付勢部材により、用紙に、紙幅方向に沿って略均一な付勢力を作用させることができる。
【００３１】
したがって、その付勢力を作用させないように構成される付勢部材は４つのうち１つだけでよい。
【００３２】
また、例えば２インチと３インチと４インチの紙幅の用紙を用いるものでは、４個の付勢部材を１インチの間隔で均等配置し、４インチの紙幅の用紙を使用するときは４つ全部の付勢部材を使用して、４つの付勢部材により、用紙に、紙幅方向に沿って略均一な付勢力を作用させることができる。
【００３３】
一方、３インチの紙幅の用紙を使用するときは４つの付勢部材のうち、用紙の紙幅範囲の外側に位置する１つの付勢部材を取り外す等して、その付勢力を作用させないことで、３つの付勢部材により、用紙に、紙幅方向に沿って略均一な付勢力を作用させることができる。
【００３４】
さらに、２インチの紙幅の用紙を使用するときは４つの付勢部材のうち、用紙の紙幅範囲の外側に位置する２つの付勢部材を取り外す等して、その付勢力を作用させないことで、２つの付勢部材により、用紙に、紙幅方向に沿って略均一な付勢力を作用させることができる。
【００３５】
したがって、その付勢力を作用させないように構成される付勢部材は４つのうち２つだけでよい。
【発明の効果】
【００３６】
本発明に係るサーマルプリンタによれば、紙幅が異なる用紙を用いる際の、サーマルプリントヘッドを押圧する付勢部材の調整を容易にすることができる。
【図面の簡単な説明】
【００３７】
【図１】本発明の一実施形態としてのサーマルプリンタを示す外観図（通常の使用時の状態）である。
【図２】図１に示したサーマルプリンタの蓋体を開位置に移動した状態を示す図である。
【図３】図２の状態から感熱紙を除去した状態を示す図である。
【図３Ａ】用紙収容部に収容される感熱紙の紙幅と用紙収容部との関係を示す平面的な模式図であり、（ａ）は幅広の紙幅の感熱紙を用紙収容部に収容した状態、（ｂ）幅狭の紙幅の感熱紙を用紙収容部に収容した状態、をそれぞれ示す。
【図４】蓋体のカバーフレームにサーマルプリントヘッドユニットおよびヘッドカバーダンパーユニットが取り付けられている状態を示す図である。
【図５】（ａ）はカバーフレームからヘッドカバーダンパーユニットを取り外した状態を示す図、（ｂ）は取り外されたヘッドカバーダンパーユニットを示す図である。
【図６】ヘッドカバーダンパーユニットの詳細構造を示す図であり、（ａ）は斜視図、（ｂ）は矢視Ａによる側面図であってバネが伸びた状態を示す図、（ｃ）は矢視Ａによる側面図であってバネが縮んだ状態を示す図である。
【図７】（ａ）はカバーフレームからさらサーマルプリントヘッドユニットを取り外した状態を示す図、（ｂ）は取り外されたサーマルプリントヘッドユニットを示す図である。
【図７Ａ】使用される感熱紙の紙幅とバネとの関係を示す模式図であり、（ａ）は幅広の紙幅の感熱紙を使用する場合、（ｂ）幅狭の紙幅の感熱紙を使用する場合、をそれぞれ示す。
【図７Ｂ】使用される感熱紙の紙幅とバネとの関係を示す模式図であり、（ａ）は最も幅広の紙幅の感熱紙を使用する場合、（ｂ）は２番目に幅広の紙幅の感熱紙を使用する場合、（ｃ）幅狭の紙幅の感熱紙を使用する場合、をそれぞれ示す。
【図８】図７のＢ−Ｂ線に沿った要部断面を示す図であり、（ａ），（ｂ），（ｃ），（ｄ）の順に、カバーフレームにサーマルプリントヘッドユニットを取り付ける過程を示す。
【図９】カバーフレームに取り付けられたサーマルプリントヘッドユニットの幅方向について上下に傾く様子を示す図であり、（ａ）は図５（ａ）相当の図、（ｂ）は（ａ）の矢視Ｃによる図であって上下に傾いていない状態、（ｃ）および（ｄ）は（ａ）の矢視Ｃによる図であって幅方向のいずれか一方が上下した状態をそれぞれ示す。
【図１０】図１において蓋体の外装（樹脂製）が取り外された状態を示す斜視図である。
【図１１】段付きピン調整部を示す図であり、（ａ）は図１０に示したカバーフレームよりも外方から臨んだ図であり、（ｂ）は蓋体を開位置に移動した状態でカバーフレームよりも内方から臨んだ図である。
【図１２】段付きピン調整部の位置（厚さの薄い感熱紙に対応した位置）に応じたサーマルプリントヘッドユニットの傾きを示す図であり、（ａ）は図１１（ａ）相当の図、（ｂ）は図１１（ｂ）相当の図、（ｃ）は図８相当の図である。
【図１３】段付きピン調整部の位置（厚さの厚い感熱紙に対応した位置）に応じたサーマルプリントヘッドユニットの傾きを示す図であり、（ａ）は図１１（ａ）相当の図、（ｂ）は図１１（ｂ）相当の図、（ｃ）は図８相当の図である。
【図１４】プラテンローラユニットが取り付けられる本体フレームを示す斜視図である。
【図１５】本体フレームから取り外されたプラテンローラユニットを示す斜視図である。
【図１６】プラテンローラユニットの支持部材の詳細を示す図であり、（ａ）は図１５の矢視Ｄによる図、（ｂ）は図１５の矢視Ｅによる図である。
【図１７】プラテンローラユニットの支持部材の詳細を示す図であり、（ａ）は図１５の矢視Ｆによる図、（ｂ）は（ａ）のＧ部詳細を示す図である。
【図１８】プラテンローラユニットを本体フレームに取り付ける経過を示す図（その１）であり、（ａ）は図１６（ａ）相当の図、（ｂ）は図１６（ｂ）相当の図である。
【図１９】プラテンローラユニットを本体フレームに取り付ける経過を示す図（その２）であり、（ａ）は図１６（ａ）相当の図、（ｂ）は図１６（ｂ）相当の図である。
【図２０】プラテンローラユニットの位置決め切欠きにサーマルプリントヘッドユニットの突起が係合した状態を示す要部透視図である。
【図２１】サーマルプリントヘッドユニットとプラテンローラユニットとが互いに係合して位置決めされている状態におけるサーマルプリントヘッドユニットの傾きを示す図であり、（ａ）は厚さの厚い感熱紙に対応したサーマルプリントヘッドユニットの傾きを示す図であり、（ｂ）は厚さの薄い感熱紙に対応したサーマルプリントヘッドユニットの傾きを示す図である。
【図２２】発熱素子列とプラテンローラとの接点の間に感熱紙が進入してくる状態を示す図であり、（ａ）は厚さの厚い感熱紙に対応したサーマルプリントヘッドユニットの傾きと厚さの厚い感熱紙との組み合わせ状態を示す図であり、（ｂ）は厚さの薄い感熱紙に対応したサーマルプリントヘッドユニットの傾きと厚さの薄い感熱紙との組み合わせ状態を示す図である。
【図２３】感熱紙とサーマルプリントヘッドユニットの発熱素子列との接点を示す詳細図であり、（ａ）は厚さの厚い感熱紙に対応したサーマルプリントヘッドユニットの傾きと厚さの厚い感熱紙との組み合わせ状態を示す図であり、（ｂ）は厚さの薄い感熱紙に対応したサーマルプリントヘッドユニットの傾きと厚さの薄い感熱紙との組み合わせ状態を示す図である。
【発明を実施するための形態】
【００３８】
以下、本発明に係るサーマルプリンタの具体的な実施形態について、図面を参照して説明する。
【００３９】
図１は、本発明の一実施形態としてのサーマルプリンタ１００を示す外観図であり、通常の使用時の状態を示すものである。このサーマルプリンタ１００は、図２に示すように、本体１１の後端部を回転中心として上方から後方に回動して開放される蓋体１２を備えている。
【００４０】
この蓋体１２は、図示を略したコイルバネにより図２に示す開位置に付勢されており、図示を略した本体１１のフックが蓋体１２に引っ掛けられることによって、蓋体１２はコイルバネによる付勢力に抗して、図１に示した閉位置に保持される。
【００４１】
この本体１１のフックは、蓋体に設けられたレバー１３を図１の矢印方向（図１において上方向）に押すことにより、蓋体１２から外れ、これにより蓋体１２はコイルバネの付勢力で図２の開位置に変位する。
【００４２】
蓋体１２が開位置に移動した図２に示すように、このサーマルプリンタ１００の用紙収容部１４（用紙収容室）には、このサーマルプリンタ１００によって印刷される媒体である、ロール状に巻回された感熱紙２００（用紙）が収容されている。図３は、この感熱紙２００を取り除いた状態を示す図である。
【００４３】
用紙収容部１４の幅方向の所定位置には、着脱可能の略半円板状の仕切り板１６（図３において二点鎖線で表示）を配設保持する仕切り板保持溝１５が形成されている。
【００４４】
この仕切り板保持溝１５に仕切り板１６を配設保持させた状態においては、用紙収容部１４は、一方の側壁面１４ａから仕切り板１６の対向面１４ｃまでの狭い幅Ｗ２（図３参照）となって、この狭い幅Ｗ２の感熱紙２００を用いることができ、一方、仕切り板保持溝１５に仕切り板１６を配設保持させない状態においては、用紙収容部１４は、一方の側壁面１４ａから他方の側壁面１４ｂまでの広い幅Ｗ１（図３参照）となって、この広い幅Ｗ１の感熱紙２００を用いることができる。
【００４５】
すなわち、このサーマルプリンタ１００の用紙収容部１４は、仕切り板１６の着脱に応じて、２つの種類の紙幅Ｗ１，Ｗ２の感熱紙２００のうちいずれか一方の紙幅Ｗ１，Ｗ２の感熱紙２００を選択的に収容可能とされている。
【００４６】
また、この用紙収容部１４は、用紙収容部１４の幅を規定する両側壁面１４ａ，１４ｂのうち一方の側壁面１４ａが、収容する（用いる）感熱紙２００の紙幅の広狭に拘わらず、収容状態での感熱紙２００の幅方向の基準となって、感熱紙２００の一方の側端縁２００ａ（図２参照）が、この一方の側壁面１４ａに略接するように、感熱紙２００を一方の側壁面１４ａ側に偏って収容するものとなっている。
【００４７】
これを上方から視た平面的な模式図で表すと、図３Ａに示すものとなり、幅広の紙幅Ｗ１の感熱紙２００を用紙収容部１４に収容するときは、同図（ａ）に示すように、用紙収容部１４の両側壁面１４ａ，１４ｂがそれぞれ、収容された感熱紙２００の、対応する側端縁２００ａ，２００ｂに略接する状態となるが、幅狭の紙幅Ｗ２の感熱紙２００を用紙収容部１４に収容するときは、同図（ｂ）に示すように、感熱紙２００の一方の側端縁２００ａを用紙収容部１４の一方の側壁面１４ａに略当接させるように感熱紙２００を収容させる。このとき、感熱紙２００の他方の側端縁２００ｂと用紙収容部１４の他方の側壁面１４ｂとの間には、大きな隙間（＝Ｗ１−Ｗ２）が生じて、感熱紙２００の収容状態が安定しないため、一方の側壁面１４ａからの距離がＷ２となる位置に設けられた仕切り板保持溝１５に仕切り板１６を配設保持させることで、感熱紙２００の他方の側端縁２００ｂと仕切り板１６の面１４ｃとが略接する程度まで近づき、感熱紙２００の収容状態を安定させることができる。
【００４８】
また、本体１１には、プラテンローラユニット２０とカッターユニット３０とが、それぞれ本体１１に対して着脱可能に設けられている。
【００４９】
これらプラテンローラユニット２０およびカッターユニット３０は、いずれも矢印方向（図３において上方（蓋体１２の閉位置からの移動方向に一致する方向））に引き上げられることにより、本体１１から取り外される。なお、プラテンローラユニット２０の詳細な取り付け状態については後述する。
【００５０】
一方、蓋体１２には、サーマルプリントヘッドユニット４０とヘッドカバーダンパーユニット５０とが、蓋体１２に対して着脱可能に設けられている。
【００５１】
そして、蓋体１２を閉位置に移動させた状態において、サーマルプリントヘッドユニット４０の発熱素子列４２（後述）がプラテンローラユニット２０のプラテンローラ２１（後述）に接し、蓋体１２を閉位置から開位置方向に移動させた状態において発熱素子列４２とプラテンローラ２１とが離れるように構成されている。
【００５２】
ここで、本実施形態のサーマルプリンタ１００は、その外装が樹脂によって形成されているが、その骨格部は金属のフレームで形成されており、サーマルプリントヘッドユニット４０およびヘッドカバーダンパーユニット５０は、蓋体１２の骨格部であるカバーフレーム１７に、工具無しの手作業で着脱可能に取り付けられている。
【００５３】
すなわち、図４に示すように、カバーフレーム１７にサーマルプリントヘッドユニット４０が取り付けられて、そのサーマルプリントヘッドユニット４０の一部を覆うように、ヘッドカバーダンパーユニット５０がカバーフレーム１７に取り付けられている。
【００５４】
ヘッドカバーダンパーユニット５０は、サーマルプリントヘッドユニット４０のサーマルプリントヘッド４１の一部を覆って保護するヘッドカバー部５１と、感熱紙２００にテンションを与えるダンパー部５２とが一体的に構成されたものであり、ヘッドカバー部５１両側部にそれぞれ形成された弾性腕部５１ａ，５１ａの各突起５１ｂ，５１ｂが、カバーフレーム１７の所定位置にそれぞれ形成された係止孔１７ａ，１７ａにそれぞれ嵌ることにより、ヘッドカバーダンパーユニット５０はカバーフレーム１７に取り付けられている。
【００５５】
ここで、両弾性腕部５１ａ，５１ａをヘッドカバーダンパーユニット５０の幅方向内側に向けて弾性変形されると、各係止孔１７ａ，１７ａから各突起５１ｂ，５１ｂが離脱し、これにより、ヘッドカバーダンパーユニット５０はカバーフレーム１７から取り外され（図５参照）、工具無しの手作業だけでの取り外しが可能となっている。
【００５６】
取り外されたヘッドカバーダンパーユニット５０は、図６に示すように、ダンパー部５２のダンパー板５２ａと支持板５２ｃとの間にバネ５２ｂが介装されていて、このバネ５２ｂにプレロードがかけられている状態（図６（ｂ）参照）からバネ５２ｂが縮められた状態（図６（ｃ））までの間の状態に応じた弾性復元力が付勢力としてダンパー板５２ａを図示下方に押圧している。
【００５７】
そして、この下方に押圧される付勢力が、ダンパー部５２の下面側に接する感熱紙２００（図６において図示省略）にテンションを付与している。
【００５８】
なお、バネ５２ｂの中心部に設けられている円弧状の芯柱５２ｄは、バネ５２ｂが意図しない方向に屈曲するのを防止するガイド棒である。
【００５９】
一方、ヘッドカバーダンパーユニット５０のヘッドカバー部５１には、光を検出するフォトセンサ５１ｃと用紙検出レバー逃がし孔５１ｄ （図５（ｂ）参照）とが設けられている。
【００６０】
ここで、本体１１には、蓋体１２が閉じられた状態のとき、フォトセンサ５１ｃに対向する部分に光源１１ａが設けられ、用紙検出レバー逃がし孔５１ｄに対向する部分に用紙検出レバー１１ｂが設けられている。
【００６１】
用紙検出レバー１１ｂは、図３に示すように突出した状態に付勢されているが、その付勢力に抗した、上方から下方に向けた荷重が作用すると、下方に回動変位し、この回動変位の有無に応じて感熱紙２００の有無を判定するものである。
【００６２】
すなわち、蓋体１２が閉じられた状態のとき、この用紙検出レバー１１ｂの上に感熱紙２００が存在するときは、用紙検出レバー１１ｂが、その感熱紙２００によって下方に向け押圧され、この押圧による荷重が付勢力に抗して用紙検出レバー１１ｂを下方に回動変位させ、これにより、感熱紙２００が存在することを検出することができる。
【００６３】
一方、この用紙検出レバー１１ｂの上に感熱紙２００が存在しないときは、用紙検出レバー１１ｂは、これに対向して形成された用紙検出レバー逃がし孔５１ｄに突入した状態となっていて、付勢力に抗する荷重を受けないため、下方に回動変位されず、これにより、感熱紙２００が存在しないことを検出することができる。
【００６４】
また、光源１１ａとフォトセンサ５１ｃとは、両者（光源１１ａ、フォトセンサ５１ｃ）の間を進行する用紙が、台紙の一部に印刷対象となるラベル（感熱紙）が貼り付けられたような用紙である場合に、その両者の間に位置している用紙の部分が、台紙の部分であるのか、またはラベルの部分であるのか、を識別するための機能部である。
【００６５】
すなわち、光源１１ａから出射された光の一部は用紙を透過してフォトセンサ５１ｃに達し、フォトセンサ５１ｃが検出した透過光の強度が予め設定された閾値（台紙を透過したときの光強度とラベルを透過したときの光強度とを峻別しうる値）以上であれば、両者の間に位置している用紙の部分は、台紙の部分であると判定し、フォトセンサ５１ｃが検出した透過光の強度が予め設定された閾値未満であれば、両者の間に位置している用紙の部分は、ラベルの部分であると判定することができる。
【００６６】
したがって、台紙にラベルが貼り付けられている用紙を用いて、ラベルの部分に感熱印刷を行う場合に、これら光源１１ｂとフォトセンサ５１ｃとによって得られた情報に基づいて、台紙の部分ではなくラベルの部分に確実に印刷をおこなうことができる。
【００６７】
なお、上述したようにカバーフレーム１７から取り外されるヘッドカバーダンパーユニット５０は、両弾性腕部５１ａ，５１ａをヘッドカバーダンパーユニット５０の幅方向内側に向けて弾性変形させ、各突起５１ｂ，５１ｂをカバーフレーム１７の各係止孔１７ａ，１７ａに嵌め合わせることにより、カバーフレーム１７に取り付けられ（図４参照）、工具無しの手作業だけでの取り付けが可能となっている。
【００６８】
しかも、このヘッドカバーダンパーユニット５０は、感熱紙２００にテンションを付与するダンパー部５２が、サーマルプリントヘッド４１の一部を覆うヘッドカバー部５１と一体的に構成されたものであるため、サーマルプリントヘッド４１の至近の位置で感熱紙２００にテンションを付与することができ、サーマルプリントヘッド４１から遠く離れた位置で感熱紙２００にテンションを付与するものに比べて、サーマルプリントヘッド４１を通過する感熱紙２００に対して、適切にテンションを付与することができる。
【００６９】
また、図５に示すように、サーマルプリントヘッドユニット４０は、発熱素子列４２よりも前方に位置する前端に、カバーフレーム１７に形成された、後方に突出する３つの爪１７ｂ，１７ｃ，１７ｄに引っ掛けられる引掛け部４４が形成され、発熱素子列４２よりも後方の部分のうち幅方向の略中央に、カバーフレーム１７から下方（蓋体１２が閉位置にあるとき）に延びた段付きピン６０の下端部に形成された段付き部６１に引っ掛けられるピン係合切欠き部４５が形成されている。
【００７０】
すなわち、サーマルプリントヘッドユニット４０は、図７に示すように、その引掛け部４４が各爪１７ｂ，１７ｃ，１７ｄから取り外され、そのピン係合切欠き部４５が段付きピン６０の段付き部６１から取り外される、という工具無しの手作業だけで、カバーフレーム１７から取り外される。なお、サーマルプリントヘッドユニット４０の左右２箇所に設けられた端子４７ａ，４７ｂ（同図（ｂ））には、電気信号等を供給する電気コネクタ４８ａ，４８ｂ（同図（ａ））がそれぞれ接続されているが、これら端子４７ａ，４７ｂと電気コネクタ４８ａ，４８ｂとの接続も、手作業だけで取り外すことができる。
【００７１】
ここで、サーマルプリントヘッドユニット４０は、詳しくは図７（ｂ）に示すように、サーマルプリントヘッド４１に、支持するヘッドフレーム４３が取り付けられたものであり、引掛け部４４およびピン係合切欠き部４５は、いずれもヘッドフレーム４３に形成されている。
【００７２】
このヘッドフレーム４３に形成されているピン係合切欠き部４５は、その切欠きの幅Ｗ３が、段付きピン６０のピン部６２の直径よりもわずかに大きく、かつ段付きピン６０の段付き部６１の直径よりも小さい。したがって、段付きピン６０のピン部６２はピン係合切欠き部４５を通過するが、段付き部６１は通過しないため、ピン係合切欠き部４５の周囲の部分が段付き部６１に乗り上げた状態で引っ掛けられる。
【００７３】
また、爪１７ｂ，１７ｃ，１７ｄに引っ掛けられる引掛け部４４も、これらの爪１７ｂ，１７ｃ，１７ｄ乗り上げた状態で引っ掛けられており、ヘッドフレーム４３とカバーフレーム１７との間には、引掛け部４４を爪１７ｂ，１７ｃ，１７ｄに押し付け、ピン係合切欠き部４５の周囲の部分を段付き部６１に押し付ける方向に付勢力を作用させる４つのバネ１９ａ，１９ｂ，１９ｃ，１９ｄ（付勢部材）が介装されている。
【００７４】
これら４つのバネ１９ａ，１９ｂ，１９ｃ，１９ｄは、カバーフレーム１７にサーマルプリントヘッドユニット４０が取り付けられている状態において、発熱素子列４２の背部に位置するように配設されていて、蓋体１２が閉じた状態においては、サーマルプリントヘッド４１の発熱素子列４２を、後述するプラテンローラ２１に押し付けるように、サーマルプリントヘッド４１を付勢している。
【００７５】
しかも、これら４つのバネ１９ａ，１９ｂ，１９ｃ，１９ｄは、感熱紙２００の幅方向に沿って等間隔Ｌ１に配置されている。そして、この間隔Ｌ１は、前述した紙幅の異なる感熱紙２００を用いた場合にも、発熱素子列４２が幅方向に沿って略均一な密着力を実現するような間隔として設定されている。
【００７６】
すなわち、本実施形態のサーマルプリンタ１００に設けられているバネ１９ａ，１９ｂ，１９ｃ，１９ｄの数（４個）は、このサーマルプリンタ１００で使用可能とされている２種類の紙幅Ｗ１，Ｗ２のうち最大の紙幅Ｗ１を、これら２種類の紙幅Ｗ１，Ｗ２間での略最大公約数Ｍで除して得られた値Ｎの数に一致する数量として設定されたものであり、これら４つのバネ１９ａ，１９ｂ，１９ｃ，１９ｄ間の間隔Ｌ１は、上述した略最大公約数Ｍに等しく設定されている。
【００７７】
例えば、紙幅Ｗ１，Ｗ２が、販売時点情報管理（ＰＯＳシステム（Point of sale system））に用いられるサーマルプリンタにおいて一般的に使用される用紙に対応して、それぞれ約８０［ｍｍ］（＝３［インチ］）、約６０［ｍｍ］（＝２［インチ］）であるとき、両紙幅Ｗ１，Ｗ２間での略最大公約数Ｍの値は約２０［ｍｍ］（＝１［インチ］）となる。
【００７８】
そして、２つの紙幅Ｗ１（＝約８０［ｍｍ］），Ｗ２（＝約６０［ｍｍ］）のうち最大の紙幅Ｗ１を、これら２種類の紙幅Ｗ１，Ｗ２間での略最大公約数Ｍ（＝約２０［ｍｍ］）で除して得られた値Ｎ（＝４）に一致する数量である４個のバネ１９ａ，１９ｂ，１９ｃ，１９ｄが設けられている。
【００７９】
そして、この最大公約数Ｍ（＝約２０［ｍｍ］）に一致する値が、間隔Ｌ１（＝約２０［ｍｍ］）として設定されている。
【００８０】
しかも、これら４個のバネ１９ａ，１９ｂ，１９ｃ，１９ｄのうち、使用可能とされた２種類の紙幅Ｗ１，Ｗ２の感熱紙２００のうち実際に使用される感熱紙２００の紙幅の範囲の外側に配置されるバネについては、カバーフレーム１７から着脱が可能となるように構成されている。
【００８１】
すなわち、４個のバネ１９ａ，１９ｂ，１９ｃ，１９ｄのうち図７において最も図示右側に設けられているバネ１９ｄは、カバーフレーム１７から手作業で容易に着脱可能にカバーフレーム１７に取り付けられていて、図７Ａ（ａ）に示すように、２種類の紙幅Ｗ１，Ｗ２の感熱紙２００のうち実際に使用される感熱紙２００の紙幅が幅広の場合（紙幅Ｗ１）は、感熱紙２００の紙幅Ｗ１の範囲の外側に位置するバネに該当するものはないため、４個全てのバネ１９ａ，１９ｂ，１９ｃ，１９ｄが取り付けられた状態で使用される。
【００８２】
一方、図７Ａ（ｂ）に示すように、２種類の紙幅Ｗ１，Ｗ２の感熱紙２００のうち実際に使用される感熱紙２００の紙幅が幅狭の場合（紙幅Ｗ２）は、感熱紙２００の紙幅Ｗ２の範囲の外側に位置するバネとしてバネ１９ｄが該当し、このバネ１９ｄはカバーフレーム１７から取り外されて、３個のバネ１９ａ，１９ｂ，１９ｃが取り付けられた状態で使用される。
【００８３】
この結果、幅広の紙幅Ｗ１の感熱紙２００を用いるときは（図７Ａ（ａ））、４つのバネ１９ａ，１９ｂ，１９ｃ，１９ｄにより、サーマルプリントヘッド４１が紙幅Ｗ１の幅方向に沿って略均等に感熱紙２００に押圧され、これにより幅方向に沿って略均一な品位の印刷を実現することができる。
【００８４】
一方、幅狭の紙幅Ｗ２の感熱紙２００を用いるときは（図７Ａ（ｂ））、４つのバネ１９ａ，１９ｂ，１９ｃ，１９ｄのうち紙幅Ｗ２の範囲の外側のバネ１９ｄが存在しないため、そのバネ１９ｄによる付勢力がサーマルプリントヘッド４１に作用せずに、紙幅Ｗ２の範囲内に位置する３つのバネ１９ａ，１９ｂ，１９ｃによってのみ、サーマルプリントヘッド４１が感熱紙２００に押圧され、このことは、幅狭の感熱紙２００に対しては、幅方向に沿って略均一な押圧力となるため、この場合も、幅方向に沿って略均一な品位の印刷を実現することができる。
【００８５】
したがって、本実施形態のサーマルプリンタ１００によれば、紙幅の差異に拘わらず、感熱紙２００の幅方向に沿って略均一な押圧力を用紙に作用させて、略均一な品位の印刷を実現することができる。
【００８６】
しかも、使用される感熱紙２００の紙幅の範囲内に配置されているバネ１９ａ，１９ｂ，１９ｃに対しては何ら操作を行うことなく、使用される感熱紙２００の紙幅の範囲の外側に配置されているバネ１９ｄだけを手作業で着脱するだけの簡単な操作で、サーマルプリントヘッド４１を押圧する付勢力を調整することができるため、調整作業を容易化することができる。
【００８７】
なお、本実施形態のサーマルプリンタ１００は、付勢部材であるバネ１９ｄを着脱することにより、そのバネ１９ｄによる付勢力の作用有無を切り替える構成であるが、例えば、このバネ１９ｄによる付勢力がサーマルプリントヘッド４１に作用しなくなるように、このバネ１９ｄを覆う覆い部材を設けて、この覆い部材でバネ１９ｄを覆った状態と覆い部材を取り外して覆わない状態とを切り替えることで、バネ１９ｄによるサーマルプリントヘッド４１に対する付勢力の作用有無を切り替える構成を採用してもよい。
【００８８】
この場合、覆い部材自体は、カバーフレーム１７等に着脱自在であってもよいし、カバーフレーム１７等と一体的に設けられていてもよい。
【００８９】
また、上述のサーマルプリンタ１００は、２［インチ］と３［インチ］との２種類の紙幅にのみに対応したものであるが、本発明のサーマルプリンタは、この形態に限定されるものではなく、例えば、２［インチ］、３［インチ］、４［インチ］（約１００［ｍｍ］）という３種類の紙幅の感熱紙２００に対応したものであってもよいし、３［インチ］と４［インチ］という２種類の紙幅の感熱紙２００に対応したものであってもよいし、その他の複数種類の紙幅の感熱紙２００に対応したものであってもよい。
【００９０】
なお、一例として、２［インチ］、３［インチ］、４［インチ］という３種類の紙幅の感熱紙２００に対応したものの場合は、図７Ｂに示すように、３つの紙幅Ｗ０（＝約１００［ｍｍ］），Ｗ１（＝約８０［ｍｍ］），Ｗ２（＝約６０［ｍｍ］）のうち最大の紙幅Ｗ０を、これら３種類の紙幅Ｗ０，Ｗ１，Ｗ２間での略最大公約数Ｍ（＝約２０［ｍｍ］）で除して得られた値Ｎ（＝５）に一致する数量である５個のバネ１９ａ，１９ｂ，１９ｃ，１９ｄ，１９ｅを設け、この最大公約数Ｍ（＝約２０［ｍｍ］）に一致する値Ｌ１（＝約２０［ｍｍ］）の等間隔で、これら５個のバネ１９ａ，１９ｂ，１９ｃ，１９ｄ，１９ｅを配置する。
【００９１】
そして、これら５個のバネ１９ａ，１９ｂ，１９ｃ，１９ｄ，１９ｅのうち、使用可能とされた３種類の紙幅Ｗ０，Ｗ１，Ｗ２の感熱紙２００のうち実際に使用される感熱紙２００の紙幅の範囲の外側に配置されるバネについては、カバーフレーム１７から着脱可能となるように構成される。
【００９２】
すなわち、５個のバネ１９ａ，１９ｂ，１９ｃ，１９ｄ，１９ｅのうちバネ１９ｄ，１９ｅは、カバーフレーム１７から手作業で容易に着脱可能にカバーフレーム１７に取り付けられていて、図７Ｂ（ａ）に示すように、３種類の紙幅Ｗ０，Ｗ１，Ｗ２の感熱紙２００のうち実際に使用される感熱紙２００の紙幅が最大の場合（紙幅Ｗ０）は、感熱紙２００の紙幅Ｗ０の範囲の外側に位置するバネに該当するものはないため、５個全てのバネ１９ａ，１９ｂ，１９ｃ，１９ｄ，１９ｅが取り付けられた状態で使用される。
【００９３】
一方、図７Ｂ（ｂ）に示すように、３種類の紙幅Ｗ０，Ｗ１，Ｗ２の感熱紙２００のうち実際に使用される感熱紙２００の紙幅が２番目に広い場合（紙幅Ｗ１）は、感熱紙２００の紙幅Ｗ１の範囲の外側に位置するバネとしてバネ１９ｅが該当し、このバネ１９ｅはカバーフレーム１７から取り外されて、４個のバネ１９ａ，１９ｂ，１９ｃ，１９ｄが取り付けられた状態で使用される。
【００９４】
さらに、図７Ｂ（ｃ）に示すように、３種類の紙幅Ｗ０，Ｗ１，Ｗ２の感熱紙２００のうち実際に使用される感熱紙２００の紙幅が幅狭の場合（紙幅Ｗ２）は、感熱紙２００の紙幅Ｗ２の範囲の外側に位置するバネとしてバネ１９ｄ，１９ｅが該当し、これらのバネ１９ｄ，１９ｅはカバーフレーム１７から取り外されて、３個のバネ１９ａ，１９ｂ，１９ｃが取り付けられた状態で使用される。
【００９５】
この結果、最も幅広の紙幅Ｗ０の感熱紙２００を用いるときは（図７Ｂ（ａ））、５つのバネ１９ａ，１９ｂ，１９ｃ，１９ｄ，１９ｅにより、サーマルプリントヘッド４１が紙幅Ｗ０の幅方向に沿って略均等に感熱紙２００に押圧され、これにより幅方向に沿って略均一な品位の印刷を実現することができる。
【００９６】
次に、幅広の紙幅Ｗ１の感熱紙２００を用いるときは（図７Ｂ（ｂ））、５つのバネ１９ａ，１９ｂ，１９ｃ，１９ｄ，１９ｅのうち紙幅Ｗ１の範囲の外側のバネ１９ｅが存在しないため、そのバネ１９ｅによる付勢力がサーマルプリントヘッド４１に作用せずに、紙幅Ｗ１の範囲内に位置する４つのバネ１９ａ，１９ｂ，１９ｃ，１９ｄによってのみ、サーマルプリントヘッド４１が感熱紙２００に押圧され、このことは、幅広の感熱紙２００に対しては、幅方向に沿って略均一な押圧力となるため、この場合も、幅方向に沿って略均一な品位の印刷を実現することができる。
【００９７】
さらに、幅狭の紙幅Ｗ２の感熱紙２００を用いるときは（図７Ｂ（ｃ））、５つのバネ１９ａ，１９ｂ，１９ｃ，１９ｄ，１９ｅのうち紙幅Ｗ２の範囲の外側のバネ１９ｄ，１９ｅが存在しないため、そのバネ１９ｄ，１９ｅによる付勢力がサーマルプリントヘッド４１に作用せずに、紙幅Ｗ２の範囲内に位置する３つのバネ１９ａ，１９ｂ，１９ｃによってのみ、サーマルプリントヘッド４１が感熱紙２００に押圧され、このことは、幅狭の感熱紙２００に対しては、幅方向に沿って略均一な押圧力となるため、この場合も、幅方向に沿って略均一な品位の印刷を実現することができる。
【００９８】
したがって、このような形態のサーマルプリンタ１００によっても、紙幅の差異に拘わらず、感熱紙２００の幅方向に沿って略均一な押圧力を用紙に作用させて、略均一な品位の印刷を実現することができる。
【００９９】
なお、本実施形態のサーマルプリンタ１００における４つのバネ１９ａ，１９ｂ，１９ｃ，１９ｄ（追加説明した図７Ｂに示した５つのバネを有する形態のものでは、５つのバネ１９ａ，１９ｂ，１９ｃ，１９ｄ，１９ｅ）のうち幅方向の最も外側に配置された２つのバネ１９ａ，１９ｄ（図７Ｂの形態では、バネ１９ａ，１９ｅ）が、対応可能の紙幅のうち最大幅Ｗ１（図７Ｂの形態では、紙幅Ｗ０）から、最大公約数Ｍの半分（＝Ｍ／２）の長さだけ幅方向の内側の位置に配置されている。
【０１００】
このように構成されていることにより、幅方向の最外側の２つのバネ１９ａ，１９ｄ（図７Ｂの形態では、バネ１９ａ，１９ｅ）は、それぞれ、感熱紙２００の両側端縁２００ａ，２００ｂから等距離（＝Ｌ１／２）の部分に相当するサーマルプリントヘッド４１の背面側に配置されるため、感熱紙２００の両側端縁２００ａ，２００ｂにおける押圧力（付勢力）も略均等に設定することができる。
【０１０１】
また、図７に示した実施形態のサーマルプリンタ１００のように、３種類の紙幅に対応可能なものでは、用紙収容部１４の一方の側壁面１４ａを全ての紙幅Ｗ０，Ｗ１，Ｗ２の感熱紙２００のセットの基準とする（感熱紙２００の一方の側端縁２００ａを用紙収容部１４の一方の側壁面１４ａに略接するようにして収容させる）とすることに限定するものではない。
【０１０２】
すなわち、例えば、紙幅Ｗ０，Ｗ１の感熱紙２００に対しては用紙収容部１４の一方の側壁面１４ａを全ての紙幅Ｗ０，Ｗ１，Ｗ２の感熱紙２００のセットの基準としつつ、紙幅Ｗ０の感熱紙２００は、他方の側端縁２００ｂも用紙収容部１４の他方の側壁面１４ｂに略接するものとし、紙幅Ｗ１の感熱紙２００に対しては、他方の側端縁２００ｂの側に仕切り板（図３における形態での仕切り板１６に相当）を配置して、他方の側端縁２００ｂがこの仕切り板の面（図３における形態での仕切り板１６の面１４ｃに相当）に略接するものとし、紙幅Ｗ２の感熱紙２００に対しては、この仕切り板の面をセットの基準とし（感熱紙２００の他方の側端縁２００ｂを仕切り板の面に略接するようにして収容させ）つつ、一方の側端縁２００ａの側にもう一つ仕切り板を配置して、一方の側端縁２００ａがこの追加の仕切り板の面に略接するように配置する。
【０１０３】
そして、幅狭の紙幅Ｗ２の感熱紙２００を用いるときは、５つのバネ１９ａ，１９ｂ，１９ｃ，１９ｄ，１９ｅのうち紙幅Ｗ２の範囲の外側のバネとしては、バネ１９ａ，１９ｅが該当し、これら２つのバネ１９ａ，１９ｅを着脱可能として、取り外した状態で用いることで、上述した実施形態と同様の作用、効果を得ることができる。
【０１０４】
ヘッドフレーム４３の両側面であって発熱素子列４２の略延長線上には、後述するプラテンローラユニット２０と係合する位置決め部としての突起４６，４６がそれぞれ形成されている。
【０１０５】
次に、カバーフレーム１７へのサーマルプリントヘッドユニット４０の着脱の構造について図８を用いて説明する。
【０１０６】
図７（ｂ）に示したサーマルプリントヘッドユニット４０を同図（ｂ）に示したカバーフレーム１７に取り付ける構造は、図８（ａ），（ｂ）に示すように、ピン係合切欠き部４５を段付きピン６０のピン部６２に通して、ピン係合切欠き部４５の周囲の部分を段付き部６１に引っ掛け、この状態から同図（ｂ），（ｃ）に示すように、ヘッドフレーム４３の背面（発熱素子列４２の背部）に接するバネ１９ａ，１９ｂ，１９ｃ，１９ｄを押し縮めつつ、引掛け部４４を爪１７ｂ，１７ｃ，１７ｄの背面側まで移動させ、その後、同図（ｄ）に示すように、サーマルプリントヘッドユニット４０の全体を爪１７ｂ，１７ｃ，１７ｄの付け根側まで移動させて、引掛け部４４を爪１７ｂ，１７ｃ，１７ｄに引っ掛ける。
【０１０７】
これにより、サーマルプリントヘッドユニット４０は、引掛け部４４を爪１７ｂ，１７ｃ，１７ｄに引っ掛けられ、ピン係合切欠き部４５が段付きピン６０の段付き部６１に引っ掛けられて、カバーフレーム１７に取り付けられる。
【０１０８】
一方、カバーフレーム１７からサーマルプリントヘッドユニット４０を取り外す場合は、上記取り付けの手順と反対の手順を行えばよい。
【０１０９】
このように、本実施形態のサーマルプリンタ１００は、サーマルプリントヘッドユニット４０を、工具無しの手作業でカバーフレーム１７に着脱することができる。
【０１１０】
また、カバーフレーム１７に取り付けられているサーマルプリントヘッドユニット４０は、バネ１９ａ，１９ｂ，１９ｃ，１９ｄにより、図８において図示左方向（蓋体１２が閉位置にあるとき、プラテンローラ２１に近づく方向）に付勢されているが、発熱素子列４２よりも上方の部分（前端の部分）も下方の部分（後端の部分）も、図示右方向（蓋体１２が閉位置にあるとき、プラテンローラ２１から離れる方向）には移動可能であるため、蓋体１２が閉位置にあって通常の使用状態にあるとき、サーマルプリントヘッドユニット４０は感熱紙２００の進行方向に沿って上下に傾き可能である。
【０１１１】
なお、ピン係合切欠き部４５は、 ヘッドフレーム４３の後端縁から前方に向けて、爪１７ｂ，１７ｃ，１７ｄと引掛け部４４との前後方向（図８においては上下方向）に沿った引掛かり代よりも長く切り欠かれているため、サーマルプリントヘッドユニット４０をカバーフレーム１７に取り付ける際は、まず、ピン係合切欠き部４５を段付きピン６０の段付き部６１に乗り上げさせて引っ掛け、ピン係合切欠き部４５に段付きピン６０を通した（引っ掛けた）ままの状態で、段付きピン６０がピン係合切欠き部４５の切り欠かれた根本に位置するようにサーマルプリントヘッドユニット４０を後方（図８において下方）に移動させ、その後にサーマルプリントヘッドユニット４０の前端（図８において上端）を、カバーフレーム１７の爪１７ｂ，１７ｃ，１７ｄの背面側（図８において右側）に移動させ、サーマルプリントヘッドユニット４０を、爪１７ｂ，１７ｃ，１７ｄとの引掛かり代分だけ前方（図８において上方）に移動させることで、サーマルプリントヘッドユニット４０を、前端で爪１７ｂ，１７ｃ，１７ｄに引っ掛け、後部を段付きピン６０に引っ掛けた状態で、サーマルプリントヘッドユニット４０を、工具を用いない手作業だけで簡単にカバーフレーム１７に取り付けることができる。
【０１１２】
また、上記操作と反対の操作により、サーマルプリントヘッドユニット４０を、工具を用いない手作業だけで簡単にカバーフレーム１７から取り外すことができる。
【０１１３】
さらに、このサーマルプリントヘッドユニット４０は、図９（ａ），（ｂ）に示すように、その後方の部分が幅方向の略中央１箇所（ピン係合切欠き部４５）のみで引っ掛けられて支持されているため、この支持されている部分（段付き部に乗り上げている幅方向の略中央部）を中心として、同図（ｃ），（ｄ）に示すように、サーマルプリントヘッドユニット４０の幅方向に関して上下に揺動する自由度を有している。
【０１１４】
したがって、サーマルプリントヘッドユニット４０の発熱素子列４２が接触するプラテンローラ２１が幅方向において、その摩耗程度に差が生じる等して例えば円錐台状に摩耗しても、サーマルプリントヘッドユニット４０が幅方向に関して傾くことで、その幅方向の不均一な摩耗による差を吸収し、発熱素子列４２とプラテンローラ２１との幅方向における接触を略均一なものとすることができる。
【０１１５】
図１０は、蓋体１２が閉位置にある状態で、蓋体１２の外装カバーをカバーフレーム１７から除去した状態を示す図である。
【０１１６】
このカバーフレーム１７には、サーマルプリントヘッドユニット４０のピン係合切欠き部４５が引っ掛けられている段付きピン６０を、その軸方向に変位させて段付き部６１の位置を上下に変位させる段付きピン調整部７０が設けられている。
【０１１７】
この段付きピン調整部７０は、図１１に示すように、概略五角形の形状を呈し、ピン７２により軸支された一頂部回りに回動可能に設けられた可動板７１（可動調整部材）であって、この可動板７１には、その回動方向に沿って延びた、段付きピン６０が通過する長孔７３が形成されており、段付きピン６０が通過した状態で長孔７３の延びた方向に沿って変位可能とされている。
【０１１８】
そして、この長孔７３の縁部には、長孔７３の中央から一方の可動範囲の部分（図１１（ａ）において右側の範囲）において、可動板７１の厚さよりも厚い縁取り７３ａが形成され、長孔７３の中央を含む他方の可動範囲の部分（図１１（ａ）において左側の範囲）において、可動板７１の厚さのままとされており、この厚さの違いによるカムを構成している。
【０１１９】
なお、説明の便宜のために、長孔７３の縁部のうち可動板７１の厚さのままとされている部分を薄い縁取り７３ｂと称するものとする。
【０１２０】
また、可動板７１の長孔７３の近傍には、裏面（カバーフレーム１７に向いた面）に突起７５が形成された舌片が形成されており、長孔７３を段付きピン６０が通った状態で可動板７１を可動範囲（回動範囲）で変位させたとき、可動範囲の両端において、カバーフレーム１７に形成された凹部１７ｆ，１７ｇに突起７５が嵌り、これにより可動板７１を回動させる操作を行ったときの、両端に達した感触（操作の節度感）を与えるとともに、突起７５がいずれかの凹部１７ｆ，１７ｇに嵌った状態から、可動板７１が不用意に動くのを防止している。
【０１２１】
さらに、図７および図１１（ａ）の裏面からの図である同図（ｂ）に示すように、カバーフレーム１７の可動板７１の外周部分に相当する部分には、この可動板７１の外周部分の裏面をカバーフレーム１７の内側に露出させる、可動板７１の回動範囲に沿って延びた操作窓１７ｅが開口されていて、この操作窓１７ｅから露出した可動板７１の外周部分の裏面には、この操作窓１７ｅを介して露出した可動板７１をピン７２回りに回動させる操作の際に指が掛けられる操作突起７４が形成されている。
【０１２２】
一方、段付きピン６０の、長孔７３から突出した上端部には、段付きピン６０の外径よりも大きな径の、長孔７３の縁取り７３ａ，７３ｂ（縁部）すなわちカムに乗り上がる平ワッシャ６３（大径部）が設けられていて、可動板７１が回動して平ワッシャ６３が薄い縁取り７３ｂに乗り上げたときは変化がないのに対して、平ワッシャ６３が厚い縁取り７３ａに乗り上げたときは、その厚い縁取り７３ａと薄い縁取り７３ｂとの厚さの差分だけ、平ワッシャ６３が図１２（ａ）の紙面手前側に引き上げられ、これにより、平ワッシャ６３が連結された段付きピン６０も紙面手前側すなわち段付きピン６０の軸方向に沿って変位する。
【０１２３】
この作用を図１２，１３を参照して説明すると、まず、図１２（ｂ）に示すように、操作窓１７ｅからカバーフレーム１７の内側に露出した操作突起７４に指を掛けて、操作突起７４を操作窓１７ｅの図示右端側に変位させると、同図（ａ）に示すように、可動板７１はピン７２を中心にして図示左側に回動し、このとき、長孔７３を貫通している段付きピン６０の平ワッシャ６３は、長孔７３の厚い縁取り７３ａに乗り上げる。
【０１２４】
同時に、カバーフレーム１７に形成された凹部１７ｆに突起７５が嵌り、これにより可動板７１を回動させる操作を行ったときの操作の節度感が与えられるとともに、可動板７１が、その位置から不用意に変位するのを抑制する。
【０１２５】
このとき、厚い縁取り７３ａと薄い縁取り７３ｂとの厚さの差分だけ、平ワッシャ６３が図１２（ｃ）（蓋体１２が閉位置にある状態を示す図）の上方向に移動され、これにより、平ワッシャ６３が連結された段付きピン６０も上方向に移動される。
【０１２６】
すると、段付きピン６０の下端部（図１２（ｃ）において下端部）に形成された段付き部６１も上方向に移動し、これにより、段付き部６１に引っ掛けられているサーマルプリントヘッドユニット４０のピン係合切欠き部４５が上方向に移動し、サーマルプリントヘッドユニット４０は、ピン係合切欠き部４５が上方向に移動した分だけ、その姿勢が図示の反時計回り方向に傾斜する。
【０１２７】
一方、図１３（ｂ）に示すように、操作窓１７ｅからカバーフレーム１７の内側に露出した操作突起７４に指を掛けて、操作突起７４を操作窓１７ｅの図示左端側に変位させると、同図（ａ）に示すように、可動板７１はピン７２を中心にして図示右側に回動し、このとき、長孔７３を貫通している段付きピン６０の平ワッシャ６３は、長孔７３の薄い縁取り７３ｂに乗り上げる。
【０１２８】
同時に、カバーフレーム１７に形成された凹部１７ｇに突起７５が嵌り、これにより可動板７１を回動させる操作を行ったときの操作の節度感が与えられるとともに、可動板７１が、その位置から不用意に変位するのを抑制する。
【０１２９】
このとき、厚い縁取り７３ａと薄い縁取り７３ｂとの厚さの差分だけ、平ワッシャ６３が図１３（ｃ）（蓋体１２が閉位置にある状態を示す図）の下方向に移動され（図１２（ｃ）を基準としたとき）、これにより、平ワッシャ６３が連結された段付きピン６０も下方向に移動される。
【０１３０】
すると、段付きピン６０の下端部（図１３（ｃ）において下端部）に形成された段付き部６１も下方向に移動し、これにより、段付き部６１に引っ掛けられているサーマルプリントヘッドユニット４０のピン係合切欠き部４５が下方向に移動し、サーマルプリントヘッドユニット４０は、ピン係合切欠き部４５が下方向に移動した分だけ、その姿勢が図示の時計回り方向に傾斜する。
【０１３１】
この後のサーマルプリントヘッドユニット４０の姿勢の変化については、次に説明するプラテンローラユニット２０と連携したものとなるため、プラテンローラユニット２０の説明の後に詳述する。
【０１３２】
プラテンローラユニット２０は、図３に示したように本体１１に配設されているが、図１４に示す本体１１の骨格部である本体フレーム１８に取り付けられている。
【０１３３】
そして、本体フレーム１８から取り外された状態のプラテンローラユニット２０は、図１５に示すように、プラテンローラ２１と、プラテンローラ２１の両端から突出した回転軸２１ａをそれぞれ回転自在に支持する支持部材２２，２３と、プラテンローラ２１の両端から突出した回転軸２１ａと支持部材２２，２３に取り付けられ、このプラテンローラ２１の、感熱紙２００の送り方向上流側および下流側に、回転軸と平行に延びた用紙分離枠２４とを備えた構成である。
【０１３４】
用紙分離枠２４は、プラテンローラ２１とサーマルプリントヘッド４１との間を上流側から送られた感熱紙２００が、プラテンローラ２１の周面に巻き付いたまま予期しない方向に送られないように、感熱紙２００をプラテンローラ２１から引き剥がして下流側に送るガイドの機能を果たす。
【０１３５】
２つの支持部材２２，２３は互いに同じものであり、それぞれ樹脂部材２２ａ，２３ａと金属板２２ｈ，２３ｈとから構成されている。
【０１３６】
ここで、各支持部材２２，２３の樹脂部材２２ａ，２３ａには、図１６に示すように、プラテンローラ２１よりも上方の部分に、本体フレーム１８に組み付けられている状態（図３参照）からプラテンローラユニット２０の全体を上方（蓋体１２の閉位置からの移動方向に一致する方向）に引き上げて本体１１からプラテンローラユニット２０を取り外す際の手がかりとなる指掛け部２２ｂ，２３ｂが形成されている。
【０１３７】
また、樹脂部材２２ａ，２３ａは、その指掛け部２２ｂ，２３ｂの下方がプラテンローラ２１の幅方向について二股に分岐して形成されている。
【０１３８】
そして、図１６（ｂ）に示すように、これら二股に分岐して形成された２つの脚部２３ｃ（２２ｃ），２３ｄ（２２ｄ）のうち幅方向の内側に位置する脚部２３ｄ（２２ｄ）は、幅方向の外側に位置する脚部２３ｃ（２２ｃ）よりも長く形成されているとともに、さらに図１６（ａ）に示すように、二股に分岐して２つの脚２３ｅ（２２ｅ），２３ｆ（２２ｆ）を形成している。
【０１３９】
プラテンローラ２１の回転軸２１ａは、プラテンローラ２１の両端から突出して、その突出した部分は、それぞれ幅方向の外内２つの脚部２３ｃ（２２ｃ），２３ｄ（２２ｄ）を貫通しており、その回転軸２１ａの、両脚部２３ｃ（２２ｃ），２３ｄ（２２ｄ）の間の空間を通過する範囲の部分には、プラテンローラ２１の回転軸２１ａを回転自在に支持する軸受２６（２５）が配設されている。
【０１４０】
一方、本体フレーム１８の幅方向の両側壁には、図１４，１６（ａ）に示すように、切欠き幅Ｄ１の切欠き１８ｂ（１８ａ）（ローラ係合切欠き）が形成されており、この切欠き幅Ｄ１は、軸受２６（２５）の直径（外径）Ｄ２（図１７（ｂ）参照）と同じか、またはわずかに大きい（Ｄ２≦Ｄ１）。
【０１４１】
また、両脚部２３ｃ（２２ｃ），２３ｄ（２２ｄ）の間の幅は、本体フレーム１８の厚さよりもわずかに広く、しかも、一方の脚部２３ｃ，２３ｄの間の空間から他方の脚部２２ｃ，２２ｄの間の長さＭ２（図１７（ａ）参照）は、図１４に示した本体フレーム１８の幅方向の両側壁間の距離Ｍ１と略等しく、これにより、プラテンローラユニット２０は、一方の脚部２３ｃ，２３ｄ間の空間に本体フレーム１８の幅方向の一方の側壁が、他方の脚部２２ｃ，２２ｄ間の空間に本体フレーム１８の幅方向の他方の側壁が、それぞれ挿通されて、プラテンローラユニット２０は本体フレーム１８に取り付けられている。
【０１４２】
このとき、脚部２３ｃ，２３ｄ間の空間を通過する回転軸２１ａの軸受２６が、本体フレーム１８の側壁の切欠き１８ｂに係合し、脚部２２ｃ，２２ｄ間の空間を通過する回転軸２１ａの軸受２５が、本体フレーム１８の側壁の切欠き１８ａに係合することで、本体フレーム１８に対するプラテンローラユニット２０の前後方向の位置および上下方向の位置が固定される。
【０１４３】
また、幅方向内側に位置する脚部２３ｄ（２２ｄ）の、二股に分岐した２つの脚２３ｅ（２２ｅ），２３ｆ（２２ｆ）は、図１６（ａ）に示すように、その間に、最下部において幅ｄ３の隙間を有し、最下部よりも上方の部分において幅ｄ３よりも広い幅ｄ４（ｄ３＜ｄ４）の隙間を有している。
【０１４４】
さらに、支持部材２２，２３の各金属板２２ｈ，２３ｈは、図１６（ｂ）に示すように、内側の脚部２３ｄ（２２ｄ）の、幅方向内側の面に密着して設けられていて、この各金属板２２ｈ，２３ｈは、回転軸２１ａが貫通した部分よりも下方の部分において、脚部２３ｄ（２２ｄ）と同様に二股に分岐されており、この二股の間の隙間の幅ｄ２は、幅ｄ３より大きく、かつ幅ｄ４より小さい（ｄ３＜ｄ２＜ｄ４）。
【０１４５】
なお、金属板２３ｈ（２２ｈ）の二股間の隙間の中心と脚２３ｅ（２２ｅ），２３ｆ（２２ｆ）間の隙間の中心とは一致し、これらの中心の上方への延長線上に、回転軸２１ａ（あるいは軸受２６（２５））の中心が位置するように構成されている。
【０１４６】
一方、本体フレーム１８の両側壁の、各切欠き１８ａ，１８ｂの下方であって、各切欠き１８ａ，１８ｂの下縁から、プラテンローラユニット２０の軸受２５，２６の下面から脚２３ｅ（２２ｅ），２３ｆ（２２ｆ）間の隙間が幅ｄ４となる位置までの距離に相当する部分には、これら本体フレームの各側壁から幅方向内側に向けて突出した、直径ｄ１のボス１８ｃ，１８ｄが形成されている。
【０１４７】
そして、これらボス１８ｃ，１８ｄの直径ｄ１は、支持部材２２，２３の金属板２２ｈ，２３ｈの二股の間の幅ｄ２と同じか、わずかに小さく設定されており、また、これらボス１８ｃ，１８ｄの中心の鉛直線上に切欠き１８ａ，１８ｂの中心が位置するように形成されている。
【０１４８】
このように構成されている支持部材２２，２３と本体フレーム１８とによると、プラテンローラユニット２０の軸受２６が本体フレーム１８の側壁の切欠き１８ｂに係合するように、かつ、軸受２５が本体フレーム１８の側壁の切欠き１８ａに係合するように、プラテンローラユニット２０を本体フレーム１８に対して鉛直下方に移動させて、プラテンローラユニット２０が本体フレーム１８に取り付けられるが、この下方への移動の際に、図１８に示すように、支持部材２３（２２）の両脚２３ｅ（２２ｅ），２３ｆ（２２ｆ）の間の隙間にボス１８ｄ（１８ｃ）が割り込む。
【０１４９】
ここで、ボス１８ｄ（１８ｃ）の直径ｄ１は、支持部材２３（２２）の両脚２３ｅ（２２ｅ），２３ｆ（２２ｆ）間の最下部における隙間の幅ｄ２より大きいため、この隙間へのボス１８ｄ（１８ｃ）の進入が進むにしたがって、両脚２３ｅ（２２ｅ），２３ｆ（２２ｆ）は、これら両脚２３ｅ（２２ｅ），２３ｆ（２２ｆ）間の隙間が拡げられるように、それぞれ外側に弾性変形する。これは、脚２３ｅ（２２ｅ），２３ｆ（２２ｆ）が弾性変形しやすい樹脂製であることによるが、本発明においては樹脂製に限定されるものではなく、厚さの薄い金属製であってもよい。
【０１５０】
一方、支持部材２３（２２）のうち金属板２３ｈ（２２ｈ）が二股に分岐した間の隙間の幅ｄ２は、ボス１８ｄ（１８ｃ）の直径ｄ１と等しいか、わずかに大きいため、ボス１８ｄ（１８ｃ）は金属板２３ｈ（２２ｈ）間の隙間を拡げることなく、この隙間に案内されるように進行する。
【０１５１】
プラテンローラユニット２０がさらに下方に移動されると、図１９に示すように、プラテンローラユニット２０の軸受２６が本体フレーム１８の側壁の切欠き１８ｂに嵌合し、かつ、軸受２５が本体フレーム１８の側壁の切欠き１８ａに係合して、下方への移動は停止する。
【０１５２】
このとき、本体フレーム１８の側壁の切欠き１８ｂはプラテンローラユニット２０の軸受２６の外径と等しいか、またはわずかに大きいだけであり、また、本体フレーム１８の側壁の切欠き１８ａはプラテンローラユニット２０の軸受２５の外径と等しいか、またはわずかに大きいだけであるため、本体フレーム１８に取り付けられた状態での本体フレーム１８に対するプラテンローラ２１のがたつきを抑制することができる。
【０１５３】
さらに、支持部材２３（２２）の両脚２３ｅ（２２ｅ），２３ｆ（２２ｆ）の間の隙間を進んだボス１８ｄ（１８ｃ）は、両脚２３ｅ（２２ｅ），２３ｆ（２２ｆ）間の隙間のうち、幅ｄ２（≒ｄ１）の金属板２３ｈ（２２ｈ）間の隙間よりも広い幅ｄ４に形成された部分に到達する。
【０１５４】
そして、この幅ｄ４の隙間部分は、ボス１８ｄ（１８ｃ）の直径ｄ１よりも大きいため、両脚２３ｅ（２２ｅ），２３ｆ（２２ｆ）が外側に拡げられた弾性変形は解消する。この結果、ボス１８ｄ（１８ｃ）の下方は、ボス１８ｄ（１８ｃ）の直径ｄ１よりも狭い幅ｄ２の隙間（両脚２３ｅ（２２ｅ），２３ｆ（２２ｆ）間の隙間）で閉じられた状態となり、プラテンローラユニット２０を上方に移動させる際には、ボス１８ｄ（１８ｃ）によって、この狭い幅ｄ２の隙間を押し拡げる必要があり、この押し拡げるのに必要な荷重が、プラテンローラユニット２０を上方に移動させるのに対向する抵抗力となり、プラテンローラユニット２０が本体フレーム１８から不用意に脱落するのを防止する。
【０１５５】
しかも、プラテンローラユニット２０が本体フレーム１８に取り付けられている状態（軸受２５，２６がそれぞれ本体フレーム１８の切欠き１８ａ，１８に係合している状態）で、支持部材２２，２３が軸受２５，２６を中心にして回動するのを防止することもできる。
【０１５６】
もちろん、使用者が、プラテンローラユニット２０の指掛け部２２ｂ，２３ｂに指を掛けて、この抵抗力に逆らって上方に引き上げることにより、プラテンローラユニット２０を本体フレーム１８から取り外すことは可能であり、このプラテンローラユニット２０着脱操作にも、工具を必要とせずに、手作業だけで行うことができる。
【０１５７】
なお、ボス１８ｄ（１８ｃ）が配置される金属板２３ｈ（２２ｈ）間の隙間（ボス係合切欠き部）は、剛性の高い金属部材である金属板２３ｈ（２２ｈ）によってその両縁部が規定されて形成されているため、この隙間とボス１８ｄ（１８ｃ）の外径との間の隙間を精度良く管理することができ、一方、ボス１８ｄ（１８ｃ）を挟持する両脚２３ｅ（２２ｅ），２３ｆ（２２ｆ）（脚部）については弾性力を有する樹脂部材２３ａによって形成されていることにより、ボス１８ｄ（１８ｃ）を挟持した状態と弾性力に抗しての挟持状態からの離脱とを容易に切り替えることができる。
【０１５８】
また、このプラテンローラユニット２０には、上述した本体フレーム１８との係合を実現する構造の他、蓋体１２に取り付けられたサーマルプリントヘッドユニット４０との位置関係を規定する位置決め部も形成されている。
【０１５９】
すなわち、図１５に示すように、プラテンローラユニット２０の支持部材２２の金属板２２ｈの上部に位置決め切欠き２２ｉ（位置決め部）が形成されている。他方の金属板２３ｈにも、金属板２２ｈと同様の位置決め切欠き２３ｉ（位置決め部）が、その上部に形成されている。
【０１６０】
これらの位置決め切欠き２２ｉ，２３ｉは、蓋体１２を閉位置に移動させた状態（図１、図１０参照）において、図４および図７（ｂ）に示すサーマルプリントヘッドユニット４０のヘッドフレーム４３の両側面に形成された突起４６，４６とそれぞれ係合して、サーマルプリントヘッドユニット４０の発熱素子列４２とプラテンローラ２１との相対的な動きを規制している。
【０１６１】
ここで、各金属板２２ｈ，２３ｈに形成された位置決め切欠き２２ｉ，２３ｉは、図２０の要部透視図に示すように、回転軸２１ａの中心と金属板２２ｈ，２３ｈの二股に分岐した間の隙間の中心とを結んだ直線上に、その中心が位置するように形成されている。
【０１６２】
したがって、蓋体１２が閉位置にあるとき、本体フレーム１８の一方の側壁側では、サーマルプリントヘッドユニット４０の突起４６と回転軸２１ａの中心と本体フレーム１８のボス１８ｃとが一直線上に並び（図２０）、本体フレーム１８の他方の側壁側では、サーマルプリントヘッドユニット４０の突起４６と回転軸２１ａの中心と本体フレーム１８のボス１８ｄとが一直線上に並ぶ。
【０１６３】
プラテンローラユニット２０は、蓋体１２の閉位置から移動方向に一致する方向（図示上方）に沿って引き上げることで、本体１１から取り外すことができるが、蓋体１２が閉位置にあるとき、プラテンローラユニット２０の位置決め切欠き２２ｉ，２３ｉには、蓋体１２に取り付けられたサーマルプリントヘッドユニット４０の突起４６，４６が上方から下方に向けて係合しているため、蓋体１２が閉じている状態では、プラテンローラユニット２０が誤って外れることがなく、プラテンローラユニット２０を本体１１に強固に固定しておくことができる。
【０１６４】
ここで、サーマルプリントヘッドユニット４０は、図１２，１３に示したように、段付きピン調整部７０の可動板７１を操作して段付きピン６０の段付き部６１の位置を変化させることにより、サーマルプリントヘッド４１の傾き（前後方向（感熱紙２００の送り方向）に対する姿勢）を変更することができる。
【０１６５】
ただし、図１２，１３における説明では、サーマルプリントヘッドユニット４０の動きは、カバーフレーム１７による拘束（爪１７ｂ，１７ｃ，１７ｄと段付きピン６０とバネ１９ａ，１９ｂ，１９ｃ，１９ｄとによる拘束）条件下での動きであったが、蓋体１２が閉位置にある状態においては、サーマルプリントヘッドユニット４０の突起４６，４６がプラテンローラユニット２０の位置決め切欠き２２ｉ，２３ｉに係合して拘束されるとともに、発熱素子列４２とプラテンローラ２１とが接触することで、サーマルプリントヘッドユニット４０の発熱素子列４２がバネ１９ａ，１９ｂ，１９ｃ，１９ｄの付勢力に抗して上方（バネ１９ａ，１９ｂ，１９ｃ，１９ｄを縮める方向）に変位する。
【０１６６】
このときのサーマルプリントヘッドユニット４０の変位の中心は、段付き部６１に乗り上がっているピン係合切欠き部４５の周囲の部分であるが、さらに、サーマルプリントヘッドユニット４０の突起４６，４６とプラテンローラユニット２０の位置決め切欠き２２ｉ，２３ｉとの係合により、サーマルプリントヘッドユニット４０は、この突起４６，４６回りの回転と位置決め切欠き２２ｉ，２３ｉの延びた上方への動きに規制された動きとなる。
【０１６７】
したがって、サーマルプリントヘッドユニット４０全体としては、後部の上下方向の位置（ピン係合切欠き部４５の周囲の部分の位置）が段付きピン調整部７０による段付き部６１の位置により規定されつつ、突起４６，４６回りでの回転変位として規定された姿勢（傾き）となる。
【０１６８】
図２１は、プラテンローラ２１とサーマルプリントヘッドユニット４０と爪１７ｂ，１７ｃ，１７ｄと段付きピン６０と段付きピン調整部７０との関係を示す要部透視図であり、同図（ａ）は図１３相当の図、すなわち段付きピン調整部７０によってサーマルプリントヘッドユニット４０の図示右側（感熱紙２００の送り方向の上流側）が下げられた傾きとなった状態を示す図であり、同図（ｂ）は図１２相当の図、すなわち段付きピン調整部７０によってサーマルプリントヘッドユニット４０の図示右側（感熱紙２００の送り方向の上流側）が引き上げられた傾きとなった状態を示す図である。
【０１６９】
ここで、図２１（ａ）におけるプラテンローラ２１とサーマルプリントヘッド４１の発熱素子列４２との詳しい位置関係を図２２（ａ）に示し、図２１（ｂ）におけるプラテンローラ２１とサーマルプリントヘッド４１の発熱素子列４２との詳しい位置関係を図２２（ｂ）に示す。
【０１７０】
前述したように、サーマルプリントヘッドユニットの突起４６，４６は発熱素子列４２の略延長線上に設けられていて、この突起４６，４６に係合する位置決め切欠き２２ｉ，２３ｉは、プラテンローラ２１の中心を通る鉛直線Ｋ上に形成されているため、プラテンローラ２１と発熱素子列４２とが接触する点Ｐは、サーマルプリントヘッド４１の傾きの如何に拘わらず、常に前述した鉛直線Ｋ上に位置する。
【０１７１】
ここで、図２２（ａ）の状態は、厚さの厚い感熱紙２００（例えば、厚さＮ１）に対応した状態であり、この厚さＮ１の感熱紙２００がプラテンローラ２１と発熱素子列４２との間に送られて来ると、サーマルプリントヘッドユニット４０が、バネ１９ａ，１９ｂ，１９ｃ，１９ｄの付勢力に抗して、感熱紙２００の厚さＮ１分だけ図示上方に持ち上げられるが、このときのサーマルプリントヘッドユニット４０の変位は、ピン係合切欠き部４５の周囲の部分を中心とした回動と鉛直線Ｋ上での平行移動となり、図示の二点鎖線から実線で示す状態となる。
【０１７２】
そして、感熱紙２００と発熱素子列４２との接点は図２３（ａ）に示す点Ｐ２となる。
【０１７３】
一方、図２２（ｂ）の状態は、厚さの薄い感熱紙２００（例えば、厚さＮ２（＜Ｎ１））に対応した状態であり、この厚さＮ２の感熱紙２００がプラテンローラ２１と発熱素子列４２との間に送られて来ると、サーマルプリントヘッドユニット４０が、バネ１９ａ，１９ｂ，１９ｃ，１９ｄの付勢力に抗して、感熱紙２００の厚さＮ２分だけ図示上方に持ち上げられるが、このときのサーマルプリントヘッドユニット４０の変位も、ピン係合切欠き部４５の周囲の部分を中心とした回動と鉛直線Ｋ上での平行移動となり、図示の二点鎖線から実線で示す状態となる。
【０１７４】
そして、感熱紙２００と発熱素子列４２との接点は図２３（ｂ）に示す点Ｐ１となる。
【０１７５】
つまり、厚さの厚い感熱紙２００が接する発熱素子列４２の点Ｐ２は、厚さの薄い感熱紙２００が接する発熱素子列４２の点Ｐ１よりも、感熱紙２００の送り方向に沿った上流側となる。
【０１７６】
ここで、厚さの厚い感熱紙２００は厚さの薄い感熱紙２００よりも剛性（腰）が強い。そして、図２３（ａ）に示すように、感熱紙２００は一見、点Ｐの直上である点Ｐ２において発熱素子列４２と密着するはずであるが、実際は、上述した剛性の強さの影響で、接しているプラテンローラ２１の周表面（弾性を有する）を、本来の円弧状から直線状に変形させるため、点Ｐ２における密着性は弱いか、あるいは密着せず、点Ｐ２よりも下流側の点Ｐ１において、より適正な強さの密着が得られている。
【０１７７】
一方、厚さの薄い感熱紙２００は厚さの厚い感熱紙２００よりも剛性（腰）が弱く、図２３（ｂ）に示すように、感熱紙２００は、点Ｐ２よりも下流側である点Ｐ１において、その見た目通り、発熱素子列４２と適正な密着が得られている。
【０１７８】
このように、本実施形態に係るサーマルプリンタ１００によれば、感熱紙２００の厚さが厚いものであっても薄いものであっても、発熱素子列４２の同一の部分（点Ｐ１）で良好な密着を得ることができ、感熱紙２００の厚さの如何に関わらず高品位な印刷を実現することができる。
【０１７９】
なお、本実施形態のサーマルプリンタ１００は、サーマルプリントヘッド４１とプラテンローラ２１とが分離された構造を有しているため、蓋体１２を閉じる（閉位置に移動させる）だけの簡単な操作によって、感熱紙２００のセッティングを完了することができる。
【０１８０】
また、このサーマルプリンタ１００は、工具無しの簡単な手作業により、サーマルプリントヘッドユニット４０をカバーフレーム１７に着脱することができ、サーマルプリントヘッドユニット４０の簡単な交換作業を実現している。
【０１８１】
一方、プラテンローラユニット２０も、工具無しの簡単な手作業により、本体フレーム１８に着脱することができ、プラテンローラユニット２０の簡単な交換作業を実現している。
【符号の説明】
【０１８２】
１９ａ，１９ｂ，１９ｃ，１９ｄ  バネ
２１    プラテンローラ
４１    サーマルプリントヘッド
４２    発熱素子列
１００  サーマルプリンタ
２００  感熱紙
Ｗ１，Ｗ２  紙幅
Ｍ      最大公約数
Ｌ１    間隔
【図１】
0005627076.tif 000002
【図２】
0005627076.tif 000003
【図３】
0005627076.tif 000004
【図３Ａ】
0005627076.tif 000005
【図４】
0005627076.tif 000006
【図５】
0005627076.tif 000007
【図６】
0005627076.tif 000008
【図７】
0005627076.tif 000009
【図７Ａ】
0005627076.tif 000010
【図７Ｂ】
0005627076.tif 000011
【図８】
0005627076.tif 000012
【図９】
0005627076.tif 000013
【図１０】
0005627076.tif 000014
【図１１】
0005627076.tif 000015
【図１２】
0005627076.tif 000016
【図１３】
0005627076.tif 000017
【図１４】
0005627076.tif 000018
【図１５】
0005627076.tif 000019
【図１６】
0005627076.tif 000020
【図１７】
0005627076.tif 000021
【図１８】
0005627076.tif 000022
【図１９】
0005627076.tif 000023
【図２０】
0005627076.tif 000024
【図２１】
0005627076.tif 000025
【図２２】
0005627076.tif 000026
【図２３】
0005627076.tif 000027